(57)【特許請求の範囲】
【請求項１】
両ハーフリムの間にブリッジを有したフレームを構成し、上記ハーフリムの両端には水糸等の高張力糸の両端を止着してレンズを保持するナイロールフレームにおいて、上記ハーフリムの外側にロウ付けしてツルを折畳み出来るように取付けているヨロイは、その端面に凹溝を形成すると共にヨロイ底面には該凹溝に連通する凹部を設け、そしてハーフリム外側端のリム線を凹溝に嵌合してリム線の止着部先端をヨロイ底面に揃えてヨロイをロウ付けし、さらにリム線の止着部に設けた穴に挿通して先端にボールを形成した高張力糸を止着し、該ボールはヨロイ底面に形成した上記凹部に収めていることを特徴とするナイロールフレーム。
【発明の詳細な説明】
【０００１】
【発明の属する技術分野】
本発明は水糸等の高張力糸を用いてレンズを保持するナイロールフレームに関するものである。
【０００２】
【従来の技術】
ナイロールフレームとはレンズを保持する為にリムの下側半分に水糸等の高張力糸が使用されているメガネフレームである。フロントフレームのリムをハーフリムとすることによりメガネフレームは軽量化され、視界を広げることが出来る。図４は従来から多用されている基本的なナイロールフレームを表しているが、円弧状のハーフリム(イ)の両端に水糸(ロ)の先端を止着し、ハーフリム(イ)と水糸(ロ)によってレンズ(ハ)が保持される。そして両ハーフリム(イ)、(イ)はブリッジ(ニ)にて連結され、ハーフリム外側にはヨロイ(ホ)、(ホ)が取付けられていて、ツルはこのヨロイ(ホ)に蝶番を介して折畳み出来るように連結されている。
【０００３】
ところで、このナイロールフレームのＡ−Ａ断面拡大図、及びＢ−Ｂ断面拡大図を図５(ａ)、(ｂ)に示すように、ハーフリム(イ)とレンズ(ハ)とは断面ヒョウタン形の繋ぎ糸(ヘ)によって連結されることで該レンズ(ハ)はハーフリム(イ)に上側半分が外れないように嵌っている。そしてレンズ(ハ)の下側半分はレンズ外周に沿設している溝(ト)に水糸(ロ)が嵌っている。
【０００４】
両ハーフリム(イ)、(イ)はブリッジ(ニ)にロウ付けされて連結し、同じくヨロイ(ホ)はハーフリム(イ)の外側にロウ付けされてる。そしてハーフリム(イ)の両先端にはレンズ(ハ)の下側を支える為に張設されている水糸(ロ)が止着され、その為にブリッジ(ニ)から下方へ延びる止着部(チ)、及びヨロイ(ホ)から下方へ延びる止着部(リ)を形成している。これら止着部(チ)、(リ)に設けた２個の小さな穴に水糸(ロ)が挿通されることで外れないように固定されている。
【０００５】
同図に示すようなナイロールフレームでは外側に位置する止着部(リ)がヨロイ(ホ)から下方へ大きく伸びている為に、メガネの外観が損われる。しかし、水糸(ロ)の先端をハーフリム(イ)に固定する為の２個の穴を設けなくてはならず、必然的にある程度の長さが必要となる。一般的なナイロールフレームではヨロイの下方に少なくとも約５ｍｍの止着部を設けている。内側のブリッジ側止着部(チ)には、水糸(ロ)の先端を固定すると共に、同図では図示していないが、鼻当てパットの脚がロウ付け固定されることになる。
【０００６】
【発明が解決しようとする課題】
このように従来のナイロールフレームには上記のごとき問題がある。本発明が解決しようとする課題はこの問題点であり、ハーフリム外側に設けているヨロイから止着部が下方へ大きく延びないようにして、外観的に良好なナイロールフレームを提供する。
【０００７】
【課題を解決する為の手段】
本発明のナイロールフレームは、ハーフリムにおける外側の止着部がヨロイから下方へ殆ど突出しない構造としている。そこで、本発明では次の特徴を備えている。
(１)ヨロイはハーフリムの正面にロウ付けする固定方法ではなく、端面に凹溝を形成し、この凹溝にリム線が嵌合した状態でロウ付けされる。
(２)ヨロイの底面には凹部を設け、上記端面に形成した凹溝は該凹部に連通している。
【０００８】
(３)ハーフリムの先端に１個の小さな穴を貫通し、この穴に水糸等の高張力糸を挿通し、抜けないように先端には大きなボールを形成している。該ボールは先端を溶融して固めることで簡単に作ることが出来る。
(４)ここで、高張力糸が挿通する穴の位置はヨロイに設けた凹部の位置であり、抜けないように係止するボールは凹部内に収まってしまい、外に露出することはない。
以下、本発明に係る実施例を図面に基いて詳細に説明する。
【０００９】
【実施例】
図１は本発明のナイロールフレームの一部を示している実施例である。両ハーフリム１，１はブリッジ２の両端にロウ付けされ、該ハーフリム１に嵌ったレンズ３は水糸４にて保持されている。同図の５はヨロイ、６は鼻当てパット、それに７はツルを示している。ナイロールフレームとしての基本的な形態は前記図  ４に示した従来例と同じであって、ハーフリム１の外側にはヨロイがロウ付けされ、該ヨロイ５の先端に継手８を介してツル７が折畳み出来るように取付けられている。
【００１０】
ところで、レンズ３の下側に張設されて該レンズ３を保持する水糸４は、従来と同じくハーフリム１の両先端止着部に止着されることになるが、本発明ではハーフリム外側となるヨロイ側には、ハーフリム１の止着部が該ヨロイから下方へ延びていない。内側となるブリッジ側には止着部９を下方へ延ばし、該止着部９に設けている２個の穴に該水糸４の先端を挿通すると共に抜けないように固定している。
【００１１】
図２は上記ヨロイ５の底面を示している。該ヨロイ５は概略Ｌ形に湾曲し、先端に設けている継手８にはツル７を折畳み可能に連結しているが、継手８とは反対側の端面１０には上下方向に凹溝１１が設けられている。この凹溝１１はハーフリム１のリム線が嵌合する寸法であり、該リム線が嵌って正しく位置決めされた状態でロウ付けされる。
【００１２】
そして、ヨロイ５の下面(底面)には凹部１２が形成され、該凹部１２は端面側に設けている上記凹溝１１と繋がっている。ヨロイ５はハーフリム１の外側にロウ付けされ、前記図１に示しているように凹部１２は下側に位置する為に、該凹部１２が外観上露出することはない。
【００１３】
ところで、ハーフリム１の外側端となるリム線の止着部１６が該凹溝１１に嵌合することで、該止着部１６の外周は凹溝１１の底面１３に当接することになる。しかし、凹部１２が存在することで止着部先端の外周には該凹部１２に基く空間が形成される。本発明では、この凹部１２を利用してヨロイ側での水糸４をハーフリム１の止着部先端に止着することが出来る。
【００１４】
図３は水糸４の先端がハーフリム１の止着部１６に止着している場合を示している。水糸４の先端にはボール１４が形成され、該ボール１４はリム線に貫通した穴１５から抜けない大きさとなっている。ここで、ボール１４は水糸４の先端を溶融して固めることで簡単に作ることができ、水糸４の反対側先端はブリッジ側止着片９に設けている２個の穴に挿通して抜けないように止着される。
【００１５】
このように、ハーフリム１の外側止着部１６には１個の穴１５を設けることで、ヨロイ５から下方へ大きく延ばす必要はなく、ヨロイ５の底面に形成した凹部１２に水糸端のボール１４を収めることが出来る。以上述べたように、本発明のナイロールフレームは、ハーフリムの外側端に設けている止着部をヨロイから大きくはみ出すことがないように構成したものであり、次のような効果を得ることが出来る。
【００１６】
【発明の効果】
本発明のナイロールフレームは、ハーフリムの外側端の止着部先端に１個の小さな穴を貫通し、この穴に挿通した水糸等の高張力糸を止着している。すなわち高張力糸の一方先端を融かして作ったボールは穴を抜けないようになり、そしてハーフリム内側のブリッジ側に設けている止着片に高張力糸の他端を止着することでレンズを保持することが出来る。
【００１７】
ハーフリムの外側にはヨロイがロウ付けされてツルを取付けているが、該ヨロイの端面には凹溝が形成されると共に底面には凹部が設けられている。又該凹部は凹溝に繋がっていて、ヨロイをハーフリム外側端にロウ付けする際に凹溝にはリム線が嵌合し、そして止着片が該ヨロイ下方から大きく突出しないようにすることが出来る。すなわち、ヨロイ底面に形成した凹部に止着部が位置することになり、高張力糸の先端に形成したボールが該凹部に収まることが出来、ナイロールフレームの外観が良くなる。
【図面の簡単な説明】
【図１】本発明のナイロールフレームを示す実施例。
【図２】ナイロールフレームのハーフリム外側端にロウ付けされるヨロイ。
【図３】水糸がハーフリムの外側端に止着された場合。
【図４】従来のナイロールフレーム。
【図５】  (ａ)は図４のＡ−Ａ断面拡大図、(ｂ)は図４のＢ−Ｂ断面拡大図。
【符号の説明】
１  ハーフリム
２  ブリッジ
３  レンズ
４  水糸
５  ヨロイ
６  鼻当てパット
７  ツル
８  継手
９  止着片
10  端面
11  凹溝
12  凹部
13  底面
14  ボール
15  穴
【図１】
0003855232.tif 000002
【図２】
0003855232.tif 000003
【図３】
0003855232.tif 000004
【図４】
0003855232.tif 000005
【図５】
0003855232.tif 000006